(57)【要約】【課題】レターボックス信号であるインタレース信号をプログレッシブ信号に変換したとき、画像の上境界、下境界におけるフリッカーの発生を防止する。【解決手段】上下境界判定部１１３は、補間画素位置Ｐが動き領域か静止領域かの判定、この補間画素位置Ｐに対して上方向、下方向に隣接する隣接画素位置が動き領域か静止領域かの判定等に基づいて、補間画素位置Ｐが、画像の上境界、下境界に位置する画素位置であるか否かを判定する。補間演算回路１１５は、補間画素位置Ｐが画像の上境界、下境界に位置する画素位置であるとき、それぞれ、補間画素位置Ｐに対応するライン位置から所定方向（下方向、上方向）に位置する所定ラインの画素データを用いて、補間画素位置Ｐの画素データを生成する。無画部（黒または暗いグレー）のラインの画素データの影響を排除でき、補間画素位置Ｐが暗くなるということがなく、境界におけるフリッカーの発生が防止される。【選択図】        図２
2005151135.tif 000002
【特許請求の範囲】
【請求項１】
注目画素位置が画像の所定方向の境界に位置する画素位置であるか判定する画像境界判定装置において、
上記注目画素位置が動き領域か静止領域かを、該注目画素位置に対応した時間方向の所定の時間位置の画素データを用いて判定する第１の動き・静止判定手段と、
上記注目画素位置に対して上記所定方向に隣接する隣接画素位置が動き領域か静止領域かを、該隣接画素位置に対応した時間方向の所定の時間位置の画素データを用いて判定する第２の動き・静止判定手段と、
上記第１の動き・静止判定手段で上記注目画素位置が動き領域であると判定され、かつ上記第２の動き・静止判定手段で上記隣接画素位置が静止領域であると判定されるとき、上記注目画素位置が画像の所定方向の境界に位置する画素位置であると判定する境界判定手段と
を備えることを特徴とする画像境界判定装置。
【請求項２】
上記第１の動き・静止判定手段は、時間方向の複数の時間位置に対応した画素データを用い、該複数の時間位置における複数の判定結果を得、該複数の判定結果のうち少なくともいずれかが動き領域であることを示すとき、上記注目画素位置が動き領域であると判定する
ことを特徴とする請求項１に記載の画像境界判定装置。
【請求項３】
上記第２の動き・静止判定手段は、時間方向の複数の時間位置に対応した画素データを用い、該複数の時間位置における複数の判定結果を得、該複数の判定結果の全てが静止領域であることを示すとき、上記隣接画素位置が静止領域であると判定する
ことを特徴とする請求項１に記載の画像境界判定装置。
【請求項４】
上記注目画素位置の、上記所定方向とは直交する方向の周辺に存在する所定数の画素位置がそれぞれ動き領域か静止領域かを、該所定数の画素位置にそれぞれ対応した時間方向の所定の時間位置の画素データを用いて判定する第３の動き・静止判定手段をさらに備え、
上記境界判定手段は、上記第１の動き・静止判定手段で上記注目画素位置が動き領域であると判定されるか、あるいは上記第３の動き・静止判定手段で上記所定数の画素位置のうちいずれかが動き領域であると判定され、かつ上記第２の動き・静止判定手段で上記隣接画素位置が静止領域であると判定されるとき、上記注目画素位置が画像の所定方向の境界に位置する画素位置であると判定する
ことを特徴とする請求項１に記載の画像境界判定装置。
【請求項５】
上記隣接画素位置の、上記所定方向とは直交する方向の周辺に存在する所定数の画素位置がそれぞれ動き領域か静止領域かを、該所定数の画素位置にそれぞれ対応した時間方向の所定の時間位置の画素データを用いて判定する第４の動き・静止判定手段をさらに備え、
上記境界判定手段は、上記第１の動き・静止判定手段で上記注目画素位置が動き領域であると判定され、かつ上記第２の動き・静止判定手段で上記隣接画素位置が静止領域であると判定され、さらに上記第４の動き・静止判定手段で上記所定数の画素位置が全て静止領域であると判定されるとき、上記注目画素位置が画像の所定方向の境界に位置する画素位置であると判定する
ことを特徴とする請求項１に記載の画像境界判定装置。
【請求項６】
注目画素位置が画像の所定方向の境界に位置する画素位置であるか判定する画像境界判定方法において、
上記注目画素位置が動き領域か静止領域かを、該注目画素位置に対応した時間方向の所定の時間位置の画素データを用いて判定する第１の動き・静止判定ステップと、
上記注目画素位置に対して上記所定方向に隣接する隣接画素位置が動き領域か静止領域かを、該隣接画素位置に対応した時間方向の所定の時間位置の画素データを用いて判定する第２の動き・静止判定ステップと、
上記第１の動き・静止判定ステップで上記注目画素位置が動き領域であると判定され、かつ上記第２の動き・静止判定ステップで上記隣接画素位置が静止領域であると判定されるとき、上記注目画素位置が画像の所定方向の境界に位置する画素位置であると判定する境界判定ステップと
を備えることを特徴とする画像境界判定方法。
【請求項７】
インタレース信号をプログレッシブ信号に変換する画像信号処理装置であって、
補間画素位置が画像のライン方向に直交する上方向または下方向である所定方向の境界に位置する画素位置であるか判定する境界判定部と、
上記境界判定部の判定結果に基づいて、上記補間画素位置の画素データを生成する画素データ生成部とを備え、
上記画素データ生成部は、
上記境界判定部で上記補間画素位置が上記境界に位置する画素位置であると判定される場合、上記補間画素位置に対応するライン位置から上記所定方向とは逆の方向に位置する所定ラインの画素データを用いて、上記補間画素位置の画素データを生成する
ことを特徴とする画像信号処理装置。
【請求項８】
上記画素データ生成部は、
上記補間画素位置に対応した、上記所定方向とは逆の方向に、上記補間画素位置に対応するラインに隣接するラインの画素の第１の画素データ、上記補間画素位置に対応した前のフィールドの画素の第２の画素データおよび上記補間画素位置に対応した後のフィールドの画素の第３の画素データのうち、中央値の画素データを上記補間画素位置の画素データとする
ことを特徴とする請求項７に記載の画像信号処理装置。
【請求項９】
上記補間画素位置が動き領域か静止領域かを判定する動き・静止判定部をさらに備え、
上記画素データ生成部は、
上記境界判定部で上記補間画素位置が上記境界に位置する画素位置でないと判定される場合、上記動き・静止判定部で上記補間画素位置が動き領域と判定されるとき、上記補間画素位置に対して少なくとも上ラインまたは下ラインの画素データを用いて上記補間画素位置の画素データを生成し、上記動き・静止判定部で上記補間画素位置が静止領域と判定されるとき、上記補間画素位置に対して少なくとも前のフィールドまたは後のフィールドの画素データを用いて上記補間画素位置の画素データを生成する
ことを特徴とする請求項７に記載の画像信号処理装置。
【請求項１０】
上記境界判定部は、
上記補間画素位置が動き領域か静止領域かを、該補間画素位置に対応した時間方向の所定の時間位置の画素データを用いて判定する第１の動き・静止判定手段と、
上記補間画素位置に対して上記所定方向に隣接する隣接画素位置が動き領域か静止領域かを、該隣接画素位置に対応した時間方向の所定の時間位置の画素データを用いて判定する第２の動き・静止判定手段と、
上記第１の動き・静止判定手段で上記補間画素位置が動き領域であると判定され、かつ上記第２の動き・静止判定手段で上記隣接画素位置が静止領域であると判定されるとき、上記補間画素位置が画像の所定方向の境界に位置する画素位置であると判定する境界判定手段とを有する
ことを特徴とする請求項７に記載の画像信号処理装置。
【請求項１１】
インタレース信号をプログレッシブ信号に変換する画像信号処理方法であって、
補間画素位置が画像のライン方向に直交する上方向または下方向である所定方向の境界に位置する画素位置であるか判定する境界判定ステップと、
上記境界判定ステップの判定結果に基づいて、上記補間画素位置の画素データを生成する画素データ生成ステップとを備え、
上記画素データ生成ステップでは、
上記境界判定ステップで上記補間画素位置が上記境界に位置する画素位置であると判定される場合、上記補間画素位置に対応するライン位置から上記所定方向とは逆の方向に位置する所定ラインの画素データを用いて、上記補間画素位置の画素データを生成する
ことを特徴とする画像信号処理方法。
【発明の詳細な説明】
【技術分野】
【０００１】
この発明は、画像境界の判定装置および判定方法、並びにそれを用いた画像信号の処理装置および処理方法に関する。
【０００２】
詳しくは、この発明は、注目画素位置が動き領域か静止領域かを判定し、またこの注目画素位置に対して所定方向に隣接する隣接画素位置が動き領域か静止領域かを判定し、注目画素位置が動き領域であり、かつ隣接画素位置が静止領域であるとき、この注目画素位置が画像の所定方向の境界に位置する画素位置であると判定することによって、注目画素位置が画像の所定方向の境界に位置する画素位置であるか否かを良好に判定できるようにした画像境界の判定装置および判定方法に係るものである。
【０００３】
また、この発明は、インタレース信号をプログレッシブ信号に変換する際に、補間画素位置が画像の所定方向（上方向または下方向）の境界に位置する画素位置であるとき、補間画素位置に対応するライン位置から所定方向とは逆の方向に位置する所定ラインの画素データを用いて補間画素位置の画素データを生成することによって、境界おけるフリッカーの発生を低減できるようにした画像信号の処理装置および処理方法に関する。
【背景技術】
【０００４】
テレビやビデオ等の多くの画像信号はインタレース方式の画像信号（インタレース信号）である。これに対して、コンピュータの画像信号は、プログレッシブ方式の画像信号（プログレッシブ信号）である。したがって例えば、コンピュータの画像とテレビの画像をコンピュータディスプレイの画面上に表示するためには、インタレース信号をプログレッシブ信号に変換しなければならない。
【０００５】
また、インタレース信号は、１フレームの信号を構成する各ラインの信号を交互に奇数フィールドの信号および偶数フィールドの信号としていることから、画像中に細い横線があるとちらつきが生じてしまう。しかし、プログレッシブ信号では、そのようなことがなく、画像中に細い横線があっても、きれいに表示される。そのため、最近では、家庭用のテレビ受信機でも、内部でインタレース信号からプログレッシブ信号に変換し、プログレッシブ方式で画像を表示するものもある。
【０００６】
インタレース信号は、図９に示すように、互いにずれた１ラインおきのライン信号を持つ奇数、偶数の２つのフィールドで一枚のフレームが構成されている。このインタレース信号をプログレッシブ信号に変換する、いわゆるＩＰ（インタレース−プログレッシブ）変換を行う場合、画素データのない各ラインについて補間データ（画素データ）を生成することが行われる。
【０００７】
このＩＰ変換は、一般的には、動き検出処理を行って動き領域と静止領域に分け、図１０に示すように、動き領域については同一フィールド内の前後のラインの画素データから補間データを生成し、静止領域については、前後のフィールドの同じラインの画素データから補間データを生成する（特許文献１参照）。
【０００８】
なお、動き検出処理では、例えば、図１０に示すように、補間画素位置Ｐが１フィールド前のフィールドにあるとき、この補間画素位置Ｐに対応した現フィールドの画素ｄ０のデータおよび２フィールド（１フレーム）前の画素ｄ１のデータの差分絶対値をフレーム動き情報として求め、この差分絶対値としきい値を比較し、当該補間画素位置Ｐが動き領域か静止領域かを判定している。
【０００９】
【特許文献１】特開２００２−１８５９３３号公報
【発明の開示】
【発明が解決しようとする課題】
【００１０】
従来、１６：９画像を４：３画面に表示する方式として、レターボックス方式が知られている。このレターボックス方式は、１６：９画像の幅を４：３画面と揃え、画面の上下部分を使わない方式である。図１１は、レターボックス方式の表示に対応した画像信号（以下、適宜、「レターボックス信号」という）による画像が、ディスプレイの画面上に表示された状態を示している。この図１１で、ハッチングを施していない部分が画像が存在する主画部であり、ハッチングを施している上下部分が画像が存在しない無画部である。無画部は、通常黒または暗いグレーで表示される。
【００１１】
このレターボックス信号についてもインタレース信号からプログレッシブ信号に変換し、ディスプレイにプログレッシブ方式で画像を表示することが考えられる。この場合、上述したように、動き領域については同一フィールド内の前後のラインの画素データから補間データを生成し、静止領域については、前後のフィールドの同じラインの画素データから補間データを生成する場合には、画像の上境界および画像の下境界で、フリッカーが発生することがあり、画質が低下するという問題点がある。
【００１２】
ここで、フリッカーの発生原理を、図１２を用いて説明する。この図１２は、レターボックス信号の画像上境界付近を拡大して示したものであり、横軸は時間方向、縦軸は垂直方向に対応している。
【００１３】
１フィールド前のフィールドに存在する補間画素位置Ｐが動き領域と判定されるときは、この補間画素位置Ｐが存在するラインの前後のラインの画素Ｃ，Ｍのデータの平均値が、補間画素位置Ｐの画素データＤipとされる。また、補間画素位置Ｐが静止領域と判定されるときは、この補間画素位置Ｐに対応する現フィールド、２フィールド前のラインの画素ｄ０，ｄ１のデータの平均値が、補間画素位置Ｐの画素データＤipとされる。
【００１４】
上述したように、無画部は黒または暗いグレーで表示される。補間画素位置Ｐが動き領域と判定されたとき、補間画素位置Ｐの画素データＤipは上述したように無画部の画素Ｃのデータと主画部の画素Ｍのデータとの平均値となるから、補間画素位置Ｐはかなり暗くなる。一方、補間画素位置Ｐが静止領域と判定されたとき、補間画素位置Ｐの画素データＤipは上述したように主画部の画素ｄ０，ｄ１のデータの平均値となるから、補間画素位置Ｐは特に暗くはならない。
【００１５】
したがって、画像上境界に位置する補間画素位置Ｐにおける動き領域か静止領域かの判定が各フィールドでばらつく場合には、この補間画素位置Ｐの明るさが大きく変化することから、この画像上境界にフリッカーが発生する。なお、画像下境界におけるフリッカーの発生原理についても同様である。
【００１６】
この発明の目的は、注目画素位置が画像の所定方向の境界に位置する画素位置であるか否かを良好に判定することにある。また、この発明の目的は、インタレース信号をプログレッシブ信号に変換する際に、画像の上境界、下境界におけるフリッカーの発生を防止することにある。
【課題を解決するための手段】
【００１７】
この発明に係る画像境界判定装置は、注目画素位置が画像の所定方向の境界に位置する画素位置であるか判定する画像境界判定装置において、注目画素位置が動き領域か静止領域かを、この注目画素位置に対応した時間方向の所定の時間位置の画素データを用いて判定する第１の動き・静止判定手段と、注目画素位置に対して所定方向に隣接する隣接画素位置が動き領域か静止領域かを、この隣接画素位置に対応した時間方向の所定の時間位置の画素データを用いて判定する第２の動き・静止判定手段と、第１の動き・静止判定手段で注目画素位置が動き領域であると判定され、かつ第２の動き・静止判定手段で隣接画素位置が静止領域であると判定されるとき、注目画素位置が画像の所定方向の境界に位置する画素位置であると判定する境界判定手段とを備えるものである。
【００１８】
また、この発明に係る画像境界判定方法は、注目画素位置が画像の所定方向の境界に位置する画素位置であるか判定する画像境界判定方法において、注目画素位置が動き領域か静止領域かを、この注目画素位置に対応した時間方向の所定の時間位置の画素データを用いて判定する第１の動き・静止判定ステップと、注目画素位置に対して所定方向に隣接する隣接画素位置が動き領域か静止領域かを、この隣接画素位置に対応した時間方向の所定の時間位置の画素データを用いて判定する第２の動き・静止判定ステップと、第１の動き・静止判定ステップで注目画素位置が動き領域であると判定され、かつ第２の動き・静止判定ステップで隣接画素位置が静止領域であると判定されるとき、注目画素位置が画像の所定方向の境界に位置する画素位置であると判定する境界判定ステップとを備えるものである。
【００１９】
この発明においては、注目画素位置が動き領域か静止領域かが、この注目画素位置に対応した時間方向（フィールド方向またはフレーム方向）の所定の時間位置の画素データを用いて判定される。例えば、所定時間位置に係る２つの画素データの差分絶対値が求められ、この差分絶対値がしきい値と比較されることで、当該所定の時間位置における判定結果が得られる。この場合、時間方向の複数の時間位置に対応した画素データを用い、この複数の時間位置における複数の判定結果を得、この複数の判定結果のうちいずれかが動き領域であることを示すとき当該注目画素位置が動き領域であると判定することで、この注目画素位置が動き領域であるとの判定の精度を高めることができる。
【００２０】
また、注目画素位置に対して所定方向（上方向、下方向、右方向、左方向など）に隣接する隣接画素位置が動き領域か静止領域かが、この隣接画素位置に対応した時間方向の所定の時間位置の画素データを用いて判定される。例えば、所定の時間位置に係る２つの画素位置に係る差分絶対値が求められ、この差分絶対値がしきい値と比較されることで、当該所定の時間位置における判定結果が得られる。この場合、時間方向の複数の時間位置に対応した画素データを用い、この複数の時間位置における複数の判定結果を得、この複数の判定結果の全てが静止領域であることを示すとき隣接画素位置が静止領域であると判定することで、この隣接画素位置が静止領域であるとの判定の精度を高めることができる。
【００２１】
そして、注目画素位置が動き領域であると判定され、かつ隣接画素位置が静止領域であると判定されるとき、注目画素位置が画像の所定方向の境界に位置する画素位置であると判定される。
【００２２】
なお、注目画素位置の、所定方向とは直交する方向の周辺に存在する所定数の画素位置がそれぞれ動き領域か静止領域かを、この所定数の画素位置にそれぞれ対応した時間方向の所定の時間位置の画素データを用いて判定する第３の動き・静止判定手段をさらに備え、境界判定手段は、第１の動き・静止判定手段で注目画素位置が動き領域であると判定されるか、あるいは第３の動き・静止判定手段で所定数の画素位置のうちいずれかが動き領域であると判定され、かつ第２の動き・静止判定手段で隣接画素位置が静止領域であると判定されるとき、注目画素位置が画像の所定方向の境界に位置する画素位置であると判定するようにしてもよい。第３の動き・静止判定手段で所定数の画素位置が全て動き領域であることを確認することで、注目画素位置が動き領域であることをより確かなものとでき、これにより注目画素位置が画像の所定方向の境界に位置する画素位置であるとの判定の精度をより高めることができる。
【００２３】
また、隣接画素位置の、所定方向とは直交する方向の周辺に存在する所定数の画素位置がそれぞれ動き領域か静止領域かを、この所定数の画素位置にそれぞれ対応した時間方向の所定の時間位置の画素データを用いて判定する第４の動き・静止判定手段をさらに備え、境界判定手段は、第１の動き・静止判定手段で注目画素位置が動き領域であると判定され、かつ第２の動き・静止判定手段で隣接画素位置が静止領域であると判定され、さらに第４の動き・静止判定手段で所定数の画素位置が全て静止領域であると判定されるとき、注目画素位置が画像の所定方向の境界に位置する画素位置であると判定するようにしてもよい。第４の動き・静止判定手段で所定数の画素位置が全て静止領域であることを確認することで、隣接画素位置が静止領域であることをより確かなものとでき、これにより注目画素位置が画像の所定方向の境界に位置する画素位置であるとの判定の精度をより高めることができる。
【００２４】
この発明に係る画像信号処理装置は、インタレース信号をプログレッシブ信号に変換する画像信号処理装置であって、補間画素位置が画像のライン方向に直交する上方向または下方向である所定方向の境界に位置する画素位置であるか判定する境界判定部と、この境界判定部の判定結果に基づいて、補間画素位置の画素データを生成する画素データ生成部とを備え、画素データ生成部は、境界判定部で補間画素位置が境界に位置する画素位置であると判定される場合、補間画素位置に対応するライン位置から所定方向とは逆の方向に位置する所定ラインの画素データを用いて、補間画素位置の画素データを生成するものである。
【００２５】
また、この発明に係る画像信号処理方法は、インタレース信号をプログレッシブ信号に変換する画像信号処理方法であって、補間画素位置が画像のライン方向に直交する上方向または下方向である所定方向の境界に位置する画素位置であるか判定する境界判定ステップと、この境界判定ステップの判定結果に基づいて、補間画素位置の画素データを生成する画素データ生成ステップとを備え、画素データ生成ステップでは、境界判定ステップで補間画素位置が境界に位置する画素位置であると判定される場合、補間画素位置に対応するライン位置から所定方向とは逆の方向に位置する所定ラインの画素データを用いて、補間画素位置の画素データを生成するものである。
【００２６】
この発明においては、インタレース信号がプログレッシブ信号に変換される。インタレース信号の補間画素位置が、画像のライン方向に直交する上方向または下方向である所定方向の境界に位置する画素位置であるか判定される。この判定は、例えば、上述した画像境界判定装置によって行われる。この場合、補間画素位置が注目画素位置となる。
【００２７】
この判定結果に基づいて、補間画素位置の画素データが生成される。すなわち、補間画素位置が境界に位置する画素位置であると判定される場合、補間画素位置に対応するライン位置から所定方向とは逆の方向に位置する所定ラインの画素データを用いて、補間画素位置の画素データが生成される。
【００２８】
例えば、インタレース信号がレターボックス信号である場合、補間画素位置が画像上境界または画像下境界に位置する画素位置にあるとき、補間画素位置に対して所定方向側に位置する無画部（黒または暗いグレー）のラインの画素データを用いて補間画素位置の画素データを生成するとすれば、この補間画素位置はかなり暗くなり、この境界にフリッカーが発生し、画質が低下する。
【００２９】
しかし、この発明では、補間画素位置が境界に位置する画素位置であると判定される場合、補間画素位置に対応するライン位置から所定方向とは逆の方向に位置する所定ラインの画素データを用いて補間画素位置の画素データを生成するものであり、無画部のラインの画素データの影響を排除でき、補間画素位置が暗くなるということがなく、上述した境界におけるフリッカーの発生を防止でき、画質を向上できる。
【００３０】
例えば、補間画素位置の画素データは、補間画素位置に対応した所定方向とは逆の方向に隣接するラインの画素の第１の画素データ、補間画素位置に対応した前のフィールドの画素の第２の画素データおよび補間画素位置に対応した後のフィールドの画素の第３の画素データのうち、中央値の画素データとされる。これは、メディアンフィルタと言われている方法である。この方法により、補間画素位置が動き領域であっても静止領域であっても、補間画素位置の画素データとして自然な値が得られる。
【００３１】
なお、補間画素位置が境界に位置する画素位置でないと判定される場合、この補間画素位置の画素データは、例えばこの補間画素位置が動き領域か静止領域かの判定結果に基づいて生成される。すなわち、補間画素位置の画素データは、補間画素位置が動き領域と判定されるとき、この補間画素位置に対して少なくとも上ラインまたは下ラインの画素データを用いて生成され、補間画素位置が静止領域と判定されるとき、補間画素位置に対して少なくとも前のフィールドまたは後のフィールドの画素データを用いて生成される。
【発明の効果】
【００３２】
この発明によれば、注目画素位置が動き領域か静止領域かを判定し、またこの注目画素位置に対して所定方向に隣接する隣接画素位置が動き領域か静止領域かを判定し、注目画素位置が動き領域であり、かつ隣接画素位置が静止領域であるとき、この注目画素位置が画像の所定方向の境界に位置する画素位置であると判定するものであり、注目画素位置が画像の所定方向の境界に位置する画素位置であるか否かを良好に判定できる。
【００３３】
また、この発明によれば、インタレース信号をプログレッシブ信号に変換する際に、補間画素位置が画像の所定方向（上方向または下方向）の境界に位置する画素位置であるとき、補間画素位置に対応するライン位置から所定方向とは逆の方向に位置する所定ラインの画素データを用いて補間画素位置の画素データを生成するものであり、境界におけるフリッカーの発生を低減でき、画質の向上を図ることができる。
【発明を実施するための最良の形態】
【００３４】
以下、図面を参照しながら、この発明の実施の形態について説明する。図１は、実施の形態としての画像表示装置１００の構成を示している。
【００３５】
この画像表示装置１００は、インタレース信号である画像信号Ｖ０を入力する入力端子１０１と、この画像信号Ｖ０をインタレース信号からプログレッシブ信号である画像信号Ｖｐに変換するＩＰ変換部１０２とを有している。このＩＰ変換部１０２には、メモリ（記憶素子）１０３が接続されている。
【００３６】
このＩＰ変換部１０２は、画像信号Ｖ０の補間画素位置が画像のライン方向に直交する上方向または下方向である所定方向の境界に位置する画素位置であるか否かの判定結果、および当該補間画素位置が動き領域か静止領域かの判定結果に基づいて、当該補間画素位置の画素データを生成し、画像信号Ｖ０を画像信号Ｖｐに変換する。メモリ１０３は、ＩＰ変換部１０２で使用する所定フィールド分の画素データを記憶できる記憶容量を有している。
【００３７】
また、画像表示装置１００は、ディスプレイとしてのＰＤＰ(Plasma Display Panel)１０６と、ＩＰ変換部１０２で得られる画像信号Ｖｐに基づいてＰＤＰ１０６を駆動し、このＰＤＰ１０６の画面上に画像信号Ｖｐによる画像を表示するパネルドライバ１０５とを有している。
【００３８】
図１に示す画像表示装置１００の動作を説明する。入力端子１０１にはインタレース信号としての画像信号Ｖ０が供給され、この画像信号Ｖ０はＩＰ変換部１０２に供給される。このＩＰ変換部１０２では、インタレース信号である画像信号Ｖ０が、プログレッシブ信号である画像信号Ｖｐに変換される。そして、ＩＰ変換部１０２で得られる画像信号Ｖｐは、パネルドライバ１０５に供給される。パネルドライバ１０５は、画像信号Ｖｐに基づいてＰＤＰ１０６を駆動する。これにより、ＰＤＰ１０６の画面上には、画像信号Ｖｐによる画像が表示される。
【００３９】
次に、ＩＰ変換部１０２の詳細を説明する。図２は、ＩＰ変換部１０２の構成を示している。
このＩＰ変換部１０２は、現フィールドの画像信号Ｖ０をメモリ１０３に書き込むための書き込み処理部１１１と、このメモリ１０３から過去所定フィールドの画像信号を読み出すための読み出し処理部１１２とを有している。
【００４０】
また、ＩＰ変換部１０２は、第１、第２の動き・静止判定手段および境界判定手段を構成する上下境界判定部１１３を有している。この上下境界判定部１１３は、注目画素位置としての補間画素位置Ｐが、画像（例えばレターボックス信号による主画部（図１１参照））の上境界に位置する画素位置であるか否かの判定結果ＪＧＵおよび画像の下境界に位置する画素位置であるか否かの判定結果ＪＧＤを取得する。
【００４１】
この上下境界判定部１１３は、補間画素位置Ｐが動き領域か静止領域かを、この補間画素位置に対応した、メモリ１０３から読み出し処理部１１２で読み出された時間方向の所定の時間位置の画素データを用いて、判定する。この場合、所定の時間位置に係る２つの画素データの差分絶対値が求められ、この差分絶対値がしきい値と比較されることで、当該所定の時間位置における判定結果が得られる。
【００４２】
すなわち、上下境界判定部１１３は、図３に示すように、補間画素位置Ｐに対応した現フィールドの画素ｄ０のデータおよび２フィールド前の画素ｄ１のデータの差分絶対値Ｄ01を求め、そしてこの差分絶対値Ｄ01を予め定められた所定のしきい値ＴＨと比較して、補間画素位置Ｐに対応した時間位置ｔ１における判定結果ＲＳ１を得る。この場合、Ｄ01≧ＴＨであるときは動き領域と判定し、Ｄ01＜ＴＨであるときは静止領域と判定する。
【００４３】
この判定結果ＲＳ１をそのまま最終的な判定結果とすることもできるが、本実施の形態において、上下境界判定部１１３は、さらに時間位置ｔ２〜ｔｍにおける判定結果ＲＳ２〜ＲＳｍをさらに得、これら判定結果ＲＳ１〜ＲＳｍに基づいて補間画素位置Ｐが動き領域であるか静止領域であるかの最終的な判定結果ＲＳｐを得る。この場合、判定結果ＲＳｐは、連続したｍ個の時間位置ｔ１〜ｔｍにおける判定結果ＲＳ１〜ＲＳｍの全てが静止領域であるとの判定であるときは静止領域を示すものとされ、それ以外のときは動き領域を示すものとされる。
【００４４】
この判定結果ＲＳｐは、以下の論理式で表すことができる。ただし、判定結果ＲＳ１〜ＲＳｍ，ＲＳｐは、それぞれ、静止領域を示すとき「１」であり、動き領域を示すとき「０」であるとする。この式で、「==」は論理等号を表し、「&&」は論理積を表す。
ＲＳｐ==ＲＳ１ && ＲＳ２ && ＲＳ３ &&・・・&& ＲＳｍ      ・・・（１）
【００４５】
ここで、時間位置ｔ２における判定結果ＲＳ２は、補間画素位置Ｐに対応した２フィールド前の画素ｄ１のデータおよび４フィールド前の画素ｄ２のデータの差分絶対値Ｄ12を求め、そしてこの差分絶対値Ｄ12を予め定められた所定のしきい値ＴＨと比較することで得られる。同様に、時間位置ｔ３における判定結果ＲＳ３は、補間画素位置Ｐに対応した４フィールド前の画素ｄ２のデータおよび６フィールド前の画素ｄ３のデータの差分絶対値Ｄ23を求め、そしてこの差分絶対値Ｄ23を予め定められた所定のしきい値ＴＨと比較することで得られる。以下、時間位置ｔ４〜ｔｍにおける判定結果ＲＳ４〜ＲＳｍも、同様にして得られる。
【００４６】
なお、上述した判定結果ＲＳ１〜ＲＳｍのうち、判定結果ＲＳ２〜ＲＳｍは、１フレーム前の上下境界の判定処理で判定結果ＲＳ１〜ＲＳm-1として使用されている。したがって、上下境界判定部１１３は、１フレーム前の上下境界の判定処理で使用された判定結果ＲＳ１〜ＲＳm-1をメモリ（図示せず）に記憶しておくことで、それを判定結果ＲＳ１〜ＲＳｍとして用いることができる。この場合、上下境界判定部１１３は、判定結果ＲＳ１だけを取得すれば、補間画素位置Ｐが動き領域であるか静止領域であるかの最終的な判定結果ＲＳｐを得ることができる。
【００４７】
また、上下境界判定部１１３は、補間画素位置Ｐに対して上方向、下方向に隣接する隣接画素位置Ｐｕ，Ｐｄが動き領域か静止領域かを、この隣接画素位置Ｐｕ，Ｐｄに対応した、時間方向の所定の時間位置の画素データを用いて判定する。この場合、所定の時間位置に係る２つの画素データの差分絶対値が求められ、この差分絶対値がしきい値と比較されることで、当該所定の時間位置における判定結果が得られる。
【００４８】
すなわち、上下境界判定部１１３は、上方向に隣接する隣接画素位置Ｐｕに関しては、図３に示すように、この隣接画素位置Ｐｕに対応した１フィールド前の画素ｅ０のデータおよび３フィールド前の画素ｅ１のデータの差分絶対値Ｅ01を求め、そしてこの差分絶対値Ｅ01を予め定められた所定のしきい値ＴＨと比較して、隣接画素位置Ｐｕに対応した時間位置ｔ１における判定結果ＲＳu1を得る。この場合、Ｅ01≧ＴＨであるときは動き領域と判定し、Ｅ01＜ＴＨであるときは静止領域と判定する。
【００４９】
この判定結果ＲＳu1をそのまま最終的な判定結果とすることもできるが、本実施の形態において、上下境界判定部１１３は、さらに時間位置ｔ２〜ｔｍにおける判定結果ＲＳu2〜ＲＳumをさらに得、これら判定結果ＲＳu1〜ＲＳumに基づいて隣接画素位置Ｐｕが動き領域であるか静止領域であるかの最終的な判定結果ＲＳupを得る。この場合、判定結果ＲＳupは、連続したｍ個の時間位置ｔ１〜ｔｍにおける判定結果ＲＳu1〜ＲＳumの全てが静止領域であるとの判定であるときは静止領域を示すものとされ、それ以外のときは動き領域を示すものとされる。
【００５０】
この判定結果ＲＳupは、以下の論理式で表すことができる。ただし、判定結果ＲＳu1〜ＲＳum，ＲＳupは、それぞれ、静止領域を示すとき「１」であり、動き領域を示すとき「０」であるとする。この式で、「==」は論理等号を表し、「&&」は論理積を表す。
ＲＳup==ＲＳu1 && ＲＳu2 && ＲＳu3 &&・・・&& ＲＳum      ・・・（２）
【００５１】
ここで、時間位置ｔ２における判定結果ＲＳu2は、隣接画素位置Ｐｕに対応した３フィールド前の画素ｅ１のデータおよび５フィールド前の画素ｅ２のデータの差分絶対値Ｅ12を求め、そしてこの差分絶対値Ｅ12を予め定められた所定のしきい値ＴＨと比較することで得られる。同様に、時間位置ｔ３における判定結果ＲＳu3は、隣接画位置Ｐｕに対応した５フィールド前の画素ｅ２のデータおよび７フィールド前の画素ｅ３のデータの差分絶対値Ｅ23を求め、そしてこの差分絶対値Ｅ23を予め定められた所定のしきい値ＴＨと比較することで得られる。以下、時間位置ｔ４〜ｔｍにおける判定結果ＲＳu4〜ＲＳumも、同様にして得られる。
【００５２】
なお、上述した判定結果ＲＳu1〜ＲＳumは、前のフィールドの補間画素位置Ｐ′の上下境界の判定処理で判定結果ＲＳ１〜ＲＳｍとして使用されている。そのため、上下境界判定部１１３は、補間画素位置Ｐ′の上下境界の判定処理で使用された判定結果ＲＳ１〜ＲＳｍをメモリ（図示せず）に記憶しておくことで、それを判定結果ＲＳu1〜ＲＳumとして用いることができる。
【００５３】
また、上下境界判定部１１３は、下方向に隣接する隣接画素位置Ｐｄに関しては、図３に示すように、この隣接画素位置Ｐｄに対応した１フィールド前の画素ｆ０のデータおよび３フィールド前の画素ｆ１のデータの差分絶対値Ｆ01を求め、そしてこの差分絶対値Ｆ01を予め定められた所定のしきい値ＴＨと比較して、隣接画素位置Ｐｄに対応した時間位置ｔ１における判定結果ＲＳd1を得る。この場合、Ｆ01≧ＴＨであるときは動き領域と判定し、Ｆ01＜ＴＨであるときは静止領域と判定する。
【００５４】
この判定結果ＲＳd1をそのまま最終的な判定結果とすることもできるが、本実施の形態において、上下境界判定部１１３は、さらに時間位置ｔ２〜ｔｍにおける判定結果ＲＳd2〜ＲＳdmをさらに得、これら判定結果ＲＳd1〜ＲＳdmに基づいて隣接画素位置Ｐｄが動き領域であるか静止領域であるかの最終的な判定結果ＲＳdpを得る。この場合、判定結果ＲＳdpは、連続したｍ個の時間位置ｔ１〜ｔｍにおける判定結果ＲＳd1〜ＲＳdmの全てが静止領域であるとの判定であるときは静止領域を示すものとされ、それ以外のときは動き領域を示すものとされる。
【００５５】
この判定結果ＲＳdpは、以下の論理式で表すことができる。ただし、判定結果ＲＳd1〜ＲＳdm，ＲＳdpは、それぞれ、静止領域を示すとき「１」であり、動き領域を示すとき「０」であるとする。この式で、「==」は論理等号を表し、「&&」は論理積を表す。
ＲＳdp==ＲＳd1 && ＲＳd2 && ＲＳd3 &&・・・&& ＲＳdm      ・・・（３）
【００５６】
ここで、時間位置ｔ２における判定結果ＲＳd2は、隣接画素位置Ｐｄに対応した３フィールド前の画素ｆ１のデータおよび５フィールド前の画素ｆ２のデータの差分絶対値Ｆ12を求め、そしてこの差分絶対値Ｆ12を予め定められた所定のしきい値ＴＨと比較することで得られる。同様に、時間位置ｔ３における判定結果ＲＳd3は、隣接画位置Ｐｄに対応した５フィールド前の画素ｆ２のデータおよび７フィールド前の画素ｆ３のデータの差分絶対値Ｆ23を求め、そしてこの差分絶対値Ｆ23を予め定められた所定のしきい値ＴＨと比較することで得られる。以下、時間位置ｔ４〜ｔｍにおける判定結果ＲＳd4〜ＲＳdmも、同様にして得られる。
【００５７】
なお、上述した判定結果ＲＳd1〜ＲＳdmは、前のフィールドの補間画素位置Ｐ″の上下境界の判定処理で判定結果ＲＳ１〜ＲＳｍとして使用されている。そのため、上下境界判定部１１３は、補間画素位置Ｐ″の上下境界の判定処理で使用された判定結果ＲＳ１〜ＲＳｍをメモリ（図示せず）に記憶しておくことで、それを判定結果ＲＳd1〜ＲＳdmとして用いることができる。
【００５８】
上述したｍは２以上の任意の数であり、ｍが大きくなる程判定精度を高めることができる。しかし、ｍがおおきくなる程、対象画素位置が動き領域から静止領域に変化したとき、静止領域であるとの判定結果を得るまでの時間が長くなり、応答性が悪くなる。
【００５９】
上下境界判定部１１３は、上述した補間画素位置Ｐが動き領域か静止領域かの判定結果ＲＳｐおよび上方向に隣接する隣接画素位置Ｐｕが動き領域か静止領域かの判定結果ＲＳupに基づいて、補間画素位置Ｐが画像上境界に位置する画素位置であるか否かを判定できる。この場合、判定結果ＲＳｐが動き領域であることを示し、判定結果ＲＳupが静止領域であることを示すとき、補間画素位置Ｐが画像上境界に位置する画素位置であると判定する。
【００６０】
また、上下境界判定部１１３は、上述した補間画素位置Ｐが動き領域か静止領域かの判定結果ＲＳｐおよび下方向に隣接する隣接画素位置Ｐｄが動き領域か静止領域かの判定結果ＲＳdpに基づいて、補間画素位置Ｐが画像下境界に位置する画素位置であるか否かを判定できる。この場合、判定結果ＲＳｐが動き領域であることを示し、判定結果ＲＳupが静止領域であることを示すとき、補間画素位置Ｐが画像下境界に位置する画素位置であると判定する。
【００６１】
本実施の形態において、上下境界判定部１１３は、補間画素位置Ｐが動き領域であるとの判定をより確かなものとするために、補間画素位置Ｐと同様に、この補間画素位置Ｐの、上下方向とは直交するライン方向の周辺に存在する所定数ｎの画素位置（Ｇ，Ｉ，Ｆ，Ｊ等）が動き領域か静止領域かを示す判定結果ＲＳp1〜ＲＳpnを、さらに取得する。この判定結果ＲＳp1〜ＲＳpnの取得方法は、上述した補間画素位置Ｐにおける判定結果ＲＳｐの取得方法と同様であるので、ここではその説明は省略する。
【００６２】
また、本実施の形態において、上下境界判定部１１３は、上方向の隣接画素位置Ｐｕが静止領域であるとの判定をより確かなものとするために、隣接画素位置Ｐｕと同様に、この隣接画素位置Ｐｕの、上下方向とは直交するライン方向の周辺に存在する所定数ｎUの画素位置（Ｂ，Ｄ，Ａ，Ｅ等）が動き領域か静止領域かを示す判定結果ＲＳup1〜ＲＳupnUを、さらに取得する。この判定結果ＲＳup1〜ＲＳupnUの取得方法は、上述した補間画素位置Ｐｕにおける判定結果ＲＳupの取得方法と同様であるので、ここではその説明は省略する。
【００６３】
また、本実施の形態において、上下境界判定部１１３は、下方向の隣接画素位置Ｐｄが静止領域であるとの判定をより確かなものとするために、隣接画素位置Ｐｄと同様に、この隣接画素位置Ｐｄの、上下方向とは直交するライン方向の周辺に存在する所定数ｎDの画素位置（Ｌ，Ｎ，Ｋ，Ｏ等）が動き領域か静止領域かを示す判定結果ＲＳdp1〜ＲＳdpnDを、さらに取得する。この判定結果ＲＳdp1〜ＲＳdpnDの取得方法は、上述した補間画素位置Ｐｄにおける判定結果ＲＳdpの取得方法と同様であるので、ここではその説明は省略する。
【００６４】
結局、本実施の形態において、上下境界判定部１１３は、補間画素位置Ｐの判定結果ＲＳｐ、この補間画素値Ｐの周辺に存在する所定数ｎの画素位置の判定結果ＲＳp1〜ＲＳpn、隣接画素位置Ｐｕの判定結果ＲＳupおよびこの隣接画素位置Ｐｕの周辺に存在する所定数ｎUの画素位置の判定結果ＲＳup1〜ＲＳupnUに基づいて、補間画素位置Ｐが画像上境界に位置する画素位置であるか否かの判定結果ＪＧＵを得る。この場合、判定結果ＲＳｐ，ＲＳp1〜ＲＳpnの少なくともいずれかが動き領域であることを示し、判定結果ＲＳup，ＲＳup1〜ＲＳupnUの全てが静止領域であることを示すときは補間画素位置Ｐが画像上境界に位置する画素位置であると判定し、それ以外のときは補間画素位置Ｐが画像上境界に位置する画素位置でないと判定する。
【００６５】
また、本実施の形態において、上下境界判定部１１３は、補間画素位置Ｐの判定結果ＲＳｐ、この補間画素値Ｐの周辺に存在する所定数ｎの画素位置の判定結果ＲＳp1〜ＲＳpn、隣接画素位置Ｐｄの判定結果ＲＳdpおよびこの隣接画素位置Ｐｄの周辺に存在する所定数ｎDの画素位置の判定結果ＲＳdp1〜ＲＳdpnDに基づいて、補間画素位置Ｐが画像下境界に位置する画素位置であるか否かの判定結果ＪＧＤを得る。この場合、判定結果ＲＳｐ，ＲＳp1〜ＲＳpnの少なくともいずれかが動き領域であることを示し、判定結果ＲＳdp，ＲＳdp1〜ＲＳdpnDの全てが静止領域であることを示すときは補間画素位置Ｐが画像下境界に位置する画素位置であると判定し、それ以外のときは補間画素位置Ｐが画像下境界に位置する画素位置でないと判定する。
【００６６】
なお、上述したｎ，ｎU，ｎDはそれぞれ１以上の任意の数であり、それぞれ、同じ数であっても異なる数であってもよい。
【００６７】
また、図２に示すＩＰ変換部１０２は、動き・静止判定部１１４を有している。この動き・静止判定部１１４は、現フィールドの画像信号Ｖ０と２フィールド前の画像信号Ｖ２とを用いて、１フィールド前のフィールドに存在する補間画素位置Ｐが動き領域か静止領域かを判定する。すなわち、動き・静止判定部１１４は、図３に示すように、補間画素位置Ｐに対応した現フィールドの画素ｄ０のデータおよび２フィールド前の画素ｄ１のデータの差分絶対値Ｄ01を求め、この差分絶対値Ｄ01を予め定められた所定のしきい値ＴＨと比較して、判定結果ＪＧＭを得る。この場合、Ｄ01≧ＴＨであるときは動き領域と判定し、Ｄ01＜ＴＨであるときは静止領域と判定する。
【００６８】
なお、この判定結果ＪＧＭは、上述した上下境界判定部１１３における、補間画素位置Ｐが動き領域か静止領域かの判定結果ＲＳ１と同じものである。したがって、この判定結果ＪＧＭに関しては、動き・静止判定部１１４を設けずに、上下境界判定部１１３で得られる判定結果ＲＳ１を用いるようにしてもよい。
【００６９】
また、ＩＰ変換部１０２は、動き適応補間演算回路１１５を有している。この補間演算回路１１５は、上下境界判定部１１３で得られた判定結果ＪＧＵ，ＪＧＤおよび動き・静止判定部１１４で得られた判定結果ＪＧＭに基づいて、補間画素位置Ｐの画素データＤipを生成する。
【００７０】
補間演算回路１１５は、判定結果ＪＧＵが補間画素位置Ｐが画像上境界に位置する画素位置でないことを示し、かつ判定結果ＪＧＤが補間画素位置Ｐが画像下境界に位置する画素位置でないことを示すときは、判定結果ＪＧＭに基づいて、補間画素位置Ｐの画素データＤipを生成する。
【００７１】
すなわち、補間演算回路１１５は、判定結果ＪＧＭが動き領域を示すときは、補間画素位置Ｐに対して少なくとも上ラインまたは下ラインの画素データを用いて画素データＤipを生成し、判定結果ＪＧＭが静止領域を示すときは、補間画素位置Ｐに対して少なくとも前のフィールドまたは後のフィールドの画素データを用いて画素データＤipを生成する。
【００７２】
例えば、補間演算回路１１５は、判定結果ＪＧＭが動き領域を示すときは、図５Ａに示すように、補間画素位置Ｐが存在するラインの前後のラインの画素ｅ０，ｆ０のデータの平均値を画素データＤipとし、一方判定結果ＪＧＭが静止領域を示すときは、図５Ａに示すように、補間画素位置Ｐに対応する現フィールド、２フィールド前のラインの画素ｄ０，ｄ１のデータの平均値を画素データＤipとする。
【００７３】
また、補間演算回路１１５は、判定結果ＪＧＵが、補間画素位置Ｐが画像上境界に位置する画素位置であることを示すときは、補間画素位置Ｐに対応するライン位置から下方向に位置する所定ラインの画素データを用いて、補間画素位置Ｐの画素データＤipを生成する。
【００７４】
例えば、補間演算回路１１５は、図５Ｂに示すように、補間画素位置Ｐに対応した、下方向に隣接するラインの画素ｆ０の第１の画素データ、補間画素位置Ｐに対応した前のフィールドの画素ｄ１の第２の画素データおよび補間画素位置Ｐに対応した後のフィールドの画素ｄ０の第３の画素データのうち、中央値の画素データを補間画素位置Ｐの画素データＤipとする。このように中央値を採る方法は、メディアンフィルタと言われている方法である。この方法により、補間画素位置Ｐが動き領域であっても静止領域であっても、画素データＤipとして自然な値を得ることができる。
【００７５】
なおこの場合、補間画素位置Ｐの画素データＤipとして、第１〜第３の画素データの平均値等を求めてもよい。また、画素ｄ０，ｄ１の画素データの平均値、あるいは画素ｆ０の画素データを補間画素位置Ｐの画素データＤipとしてもよい。
【００７６】
また、補間演算回路１１５は、判定結果ＪＧＤが補間画素位置Ｐが画像下境界に位置する画素位置であることを示すときは、補間画素位置Ｐに対応するライン位置から上方向に位置する所定ラインの画素データを用いて、補間画素位置Ｐの画素データＤipを生成する。
【００７７】
例えば、補間演算回路１１５は、図５Ｃに示すように、補間画素位置Ｐに対応した、上方向に隣接するラインの画素ｅ０の第１の画素データ、補間画素位置Ｐに対応した前のフィールドの画素ｄ１の第２の画素データおよび補間画素位置Ｐに対応した後のフィールドの画素ｄ０の第３の画素データのうち、中央値の画素データを補間画素位置Ｐの画素データＤipとする。この場合も、上述したようにメディアンフィルタと言われている方法であり、補間画素位置Ｐが動き領域であっても静止領域であっても、画素データＤipとして自然な値を得ることができる。
【００７８】
なおこの場合も、補間画素位置Ｐの画素データＤipとして、第１〜第３の画素データの平均値等を求めてもよい。また、画素ｄ０，ｄ１の画素データの平均値、あるいは画素ｅ０の画素データを補間画素位置Ｐの画素データＤipとしてもよい。
【００７９】
この補間演算回路１１５は、垂直方向の各補間ライン上の各補間画素位置Ｐで、上述したように判定結果ＪＧＵ，ＪＧＤ，ＪＧＭに基づいて画素データＤipを生成し、各補間ラインの信号を順次生成していく。
【００８０】
また、ＩＰ変換部１０２は、読み出し処理部１１２によりメモリ１０３から読み出される１フィールド前の画像信号Ｖ１の各ラインの信号と、補間演算回路１１５で生成される各補間ラインの信号とを交互に取り出してプログレッシブ信号である画像信号Ｖｐを得る出力ライン選択回路１１６とを有している。
【００８１】
図２に示すＩＰ変換部１０２の動作を説明する。
インタレース信号としての画像信号（現フィールドの画像信号）Ｖ０は、書き込み処理部１１１を介してメモリ１０３に供給されて書き込まれる。そして、このメモリ１０３から読み出し処理部１１２により、上下境界判定部１１３、動き・静止判定部１１４および動き適応補間演算回路１１５で使用される、過去の所定フィールドの画像信号が読み出される。
【００８２】
上下境界判定部１１３では、現フィールドの画像信号Ｖ０および過去の所定フィールドの画像信号に基づいて、１フィールド前のフィールドに存在する補間画素位置Ｐが、画像の上境界に位置する画素位置であるか否かの判定、および画像の下境界に位置する画素位置であるか否かの判定が行われる。
【００８３】
この場合、上下界判定部１１３では、補間画素位置Ｐが動き領域か静止領域かが判定され、判定結果ＲＳｐが得られる。この判定結果ＲＳｐは、連続したｍ個の時間位置ｔ１〜ｔｍにおける判定結果ＲＳ１〜ＲＳｍの全てが静止領域であるとの判定であるときは静止領域を示すものとされ、それ以外のときは動き領域を示すものとされる。
【００８４】
また、上下境界判定部１１３では、補間画素位置Ｐに対して上方向、下方向に隣接する隣接画素位置Ｐｕ，Ｐｄが動き領域か静止領域かが判定され、判定結果ＲＳup，ＲＳdpが得られる。これら判定結果ＲＳup，ＲＳdpは、それぞれ、連続したｍ個の時間位置ｔ１〜ｔｍにおける判定結果ＲＳu1〜ＲＳum，ＲＳd1〜ＲＳdmの全てが静止領域であるとの判定であるときは静止領域を示すものとされ、それ以外のときは動き領域を示すものとされる。
【００８５】
また、上下境界判定部１１３では、補間画素位置Ｐが動き領域であるとの判定をより確かなものとするために、補間画素位置Ｐと同様に、この補間画素位置Ｐの、上下方向とは直交するライン方向の周辺に存在する所定数ｎの画素位置が動き領域か静止領域かを示す判定結果ＲＳp1〜ＲＳpnが得られる。同様に、上下境界判定部１１３では、隣接画素位置Ｐｕ，Ｐｄが静止領域であるとの判定をより確かなものとするために、隣接画素位置Ｐｕ，Ｐｄと同様に、この隣接画素位置Ｐｕ，Ｐｄの、上下方向とは直交するライン方向の周辺に存在する所定数ｎU，ｎDの画素位置が動き領域か静止領域かを示す判定結果ＲＳup1〜ＲＳupnU，ＲＳdp1〜ＲＳdpnDが得られる。
【００８６】
そして、上下境界判定部１１３では、補間画素位置Ｐの判定結果ＲＳｐ、この補間画素値Ｐの周辺に存在する所定数ｎの画素位置の判定結果ＲＳp1〜ＲＳpn、隣接画素位置Ｐｕの判定結果ＲＳupおよびこの隣接画素位置Ｐｕの周辺に存在する所定数ｎUの画素位置の判定結果Ｓup1〜ＲＳupnUに基づいて、補間画素位置Ｐが画像上境界に位置する画素位置であるか否かの判定結果ＪＧＵが得られる。この場合、判定結果ＲＳｐ，ＲＳp1〜ＲＳpnの少なくともいずれかが動き領域であることを示し、判定結果ＲＳup，ＲＳup1〜ＲＳupnUの全てが静止領域であることを示すときは補間画素位置Ｐが画像上境界に位置する画素位置であると判定され、それ以外のときは補間画素位置Ｐが画像上境界に位置する画素位置でないと判定される。
【００８７】
また、上下境界判定部１１３では、補間画素位置Ｐの判定結果ＲＳｐ、この補間画素値Ｐの周辺に存在する所定数ｎの画素位置の判定結果ＲＳp1〜ＲＳpn、隣接画素位置Ｐｄの判定結果ＲＳdpおよびこの隣接画素位置Ｐｄの周辺に存在する所定数ｎDの画素位置の判定結果Ｓdp1〜ＲＳdpnDに基づいて、補間画素位置Ｐが画像下境界に位置する画素位置であるか否かの判定結果ＪＧＤが得られる。この場合、判定結果ＲＳｐ，ＲＳp1〜ＲＳpnの少なくともいずれかが動き領域であることを示し、判定結果ＲＳdp，ＲＳdp1〜ＲＳdpnDの全てが静止領域であることを示すときは補間画素位置Ｐが画像下境界に位置する画素位置であると判定され、それ以外のときは補間画素位置Ｐが画像下境界に位置する画素位置でないと判定される。
【００８８】
動き・静止判定部１１４では、現フィールドの画像信号Ｖ０および２フィールド前の画像信号Ｖ２に基づいて、１フィールド前のフィールドに存在する補間画素位置Ｐが動き領域か静止領域かが判定され、判定結果ＪＧＭが得られる。
【００８９】
上下境界判定部１１３で得られる判定結果ＪＧＵ，ＪＧＤおよび動き・静止判定部１１４で得られる判定結果ＪＧＭは動き適応補間演算回路１１５に供給される。また、この補間演算回路１１５には、現フィールドの画像信号Ｖ０と、メモリ１０３から読み出される１フィールド前の画像信号Ｖ１および２フィールド前の画像信号Ｖ２が供給される。この補間演算回路１１５では、判定結果ＪＧＵ，ＪＧＤ，ＪＧＭに基づいて、補間画素位置Ｐの画素データＤipが生成される。
【００９０】
補間演算回路１１５では、判定結果ＪＧＵが、補間画素位置Ｐが画像上境界に位置する画素位置でないことを示し、かつ判定結果ＪＧＤが補間画素位置Ｐが画像下境界に位置する画素位置でないことを示すときは、判定結果ＪＧＭに基づいて、補間画素位置Ｐの画素データＤipが生成される。
【００９１】
この場合、補間演算回路１１５では、判定結果ＪＧＭが動き領域を示すときは、補間画素位置Ｐに対して少なくとも上ラインまたは下ラインの画素データを用いて画素データＤipが生成され、判定結果ＪＧＭが静止領域を示すときは、補間画素位置Ｐに対して少なくとも前のフィールドまたは後のフィールドの画素データを用いて画素データＤipが生成される。例えば、補間演算回路１１５では、判定結果ＪＧＭが動き領域を示すときは、補間画素位置Ｐが存在するラインの前後のラインの画素ｅ０，ｆ０のデータの平均値が画素データＤipとされ、一方判定結果ＪＧＭが静止領域を示すときは、補間画素位置Ｐに対応する現フィールド、２フィールド前のラインの画素ｄ０，ｄ１のデータの平均値が画素データＤipとされる（図５Ａ参照）。
【００９２】
また、補間演算回路１１５では、判定結果ＪＧＵが、補間画素位置Ｐが画像上境界に位置する画素位置であることを示すときは、補間画素位置Ｐに対応するライン位置から下方向に位置する所定ラインの画素データを用いて、補間画素位置Ｐの画素データＤipが生成される。例えば、補間演算回路１１５では、補間画素位置Ｐに対応した、下方向に隣接するラインの画素ｆ０の第１の画素データ、補間画素位置Ｐに対応した前のフィールドの画素ｄ１の第２の画素データおよび補間画素位置Ｐに対応した後のフィールドの画素ｄ０の第３の画素データのうち、中央値の画素データが補間画素位置Ｐの画素データＤipとされる（図５Ｂ参照）。
【００９３】
また、補間演算回路１１５では、判定結果ＪＧＤが、補間画素位置Ｐが画像下境界に位置する画素位置であることを示すときは、補間画素位置Ｐに対応するライン位置から上方向に位置するラインの画素データを用いて、補間画素位置Ｐの画素データＤipが生成される。例えば、補間演算回路１１５では、補間画素位置Ｐに対応した、上方向に隣接するラインの画素ｅ０の第１の画素データ、補間画素位置Ｐに対応した前のフィールドの画素ｄ１の第２の画素データおよび補間画素位置Ｐに対応した後のフィールドの画素ｄ０の第３の画素データのうち、中央値の画素データが補間画素位置Ｐの画素データＤipとされる（図５Ｃ参照）。
【００９４】
この補間演算回路１１５では、垂直方向の各補間ライン上の各補間位置で上述したように画素データＤipが生成され、各補間ラインの信号が順次生成されていく。このように補間演算回路１１５で生成される各補間ラインの信号は出力ライン選択回路１１６に供給される。また、この出力ライン選択回路１１６には、メモリ１０３から読み出される１フィールド前の画像信号Ｖ１の各ラインの信号が供給される。出力ライン選択回路１１６では、１フィールド前の画像信号Ｖ１の各ラインの信号と、それに対応した各補間ラインの信号とが交互に取り出されてライン数が倍とされ、プログレッシブ信号である画像信号Ｖｐが得られる。この画像信号ＶｐがＩＰ変換部１０２の出力信号となる。
【００９５】
図２に示すＩＰ変換部１０２における上下境界判定部１１３によれば、補間画素位置Ｐが動き領域か静止領域かを判定し、またこの補間画素位置Ｐに対して上方向、下方向に隣接する隣接画素位置Ｐｕ，Ｐｄが動き領域か静止領域かを判定し、補間画素位置Ｐが動き領域であり、かつ隣接画素位置Ｐｕ，Ｐｄが静止領域であるとき、この補間画素位置Ｐが画像の上方向、下方向の境界に位置する画素位置であると判定するものであり、補間画素位置Ｐが画像の上方向、下方向の境界に位置する画素位置であるか否かを良好に判定できる。
【００９６】
またこの場合、上下境界判定部１１３によれば、注目画素位置Ｐに対応した時間方向の複数の時間位置ｔ１〜ｔｍにおける判定結果ＲＳ１〜ＲＳｍを得、それらの判定結果に基づいて、補間画素位置Ｐが動き領域か静止領域かの判定結果ＲＳｐを得るものであり（図３参照）、補間画素位置Ｐが動き領域か静止領域かの判定精度を高めることができる。同様に、上下境界判定部１１３によれば、隣接画素位置Ｐｕ，Ｐｄに対応した時間方向に複数の時間位置ｔ１〜ｔｍにおける判定結果ＲＳu1〜ＲＳum，ＲＳd1〜ＲＳdmを得、それらの判定結果に基づいて、隣接画素位置Ｐｕ，Ｐｄが動き領域か静止領域かの判定結果ＲＳup，ＲＳdpを得るものであり（図３参照）、隣接画素位置Ｐｕ，Ｐｄが動き領域か静止領域かの判定精度を高めることができる。
【００９７】
またこの場合、上下境界判定部１１３によれば、補間画素位置Ｐと同様に、この補間画素位置Ｐの、上下方向とは直交するライン方向の周辺に存在する所定数ｎの画素位置が動き領域か静止領域かを示す判定結果ＲＳp1〜ＲＳpnを得、さらに隣接画素位置Ｐｕ，Ｐｄと同様に、この隣接画素位置Ｐｕ，Ｐｄの、上下方向とは直交するライン方向の周辺に存在する所定数ｎU，ｎDの画素位置が動き領域か静止領域かを示す判定結果ＲＳup1〜ＲＳupnU，ＲＳdp1〜ＲＳdpnDを得、これらをも用いて判定結果ＪＧＵ，ＪＧＤを得るものであり（図４参照）、補間画素位置Ｐが動き領域であるとの判定をより確かなものとでき、また隣接画素位置Ｐｕ，Ｐｄが静止領域であるとの判定をより確かなものとでき、判定結果ＪＧＵ，ＪＧＤの精度をより高めることができる。
【００９８】
また、図２に示すＩＰ変換部１０２における動き適応補間演算回路１１５によれば、判定結果ＪＧＵ，ＪＧＤが、補間画素位置Ｐが画像の上境界、下境界に位置する画素位置であることを示すときは、それぞれ、補間画素位置Ｐに対応するライン位置から所定方向（下方向、上方向）に位置する所定ラインの画素データを用いて、補間画素位置Ｐの画素データＤipを生成するものであり、例えばインタレース信号がレターボックス信号である場合、補間画素位置Ｐに対して所定方向側に位置する無画部（黒または暗いグレー）のラインの画素データの影響を排除でき、補間画素位置Ｐが暗くなるということがなく、上述した境界におけるフリッカーの発生を防止でき、画質を向上できる。
【００９９】
この場合、補間演算回路１１５によれば、補間画素位置Ｐに対応した所定方向とは逆の方向に隣接するラインの画素ｆ０，ｅ０の第１の画素データ、補間画素位置Ｐに対応した前のフィールドの画素ｄ１の第２の画素データおよび補間画素位置Ｐに対応した後のフィールドの画素ｄ０の第３の画素データのうち、中央値の画素データを当該補間画素位置Ｐの画素データＤipとするものであり（図５Ｂ，Ｃ参照）、補間画素位置Ｐが動き領域であっても静止領域であっても、この補間画素位置Ｐの画素データＤipとして自然な値を得ることができる。
【０１００】
なお、図２のＩＰ変換部１０２における処理を、例えば図６に示すような画像信号処理装置３００によって、ソフトウェアで実現することも可能である。
【０１０１】
まず、この画像信号処理装置３００について説明する。この画像信号処理装置３００は、装置全体の動作を制御するＣＰＵ３０１と、このＣＰＵ３０１の動作プログラム等が格納されたＲＯＭ（read only memory）３０２と、ＣＰＵ３０１の作業領域を構成するＲＡＭ（random access memory）３０３とを有している。これらＣＰＵ３０１、ＲＯＭ３０２およびＲＡＭ３０３は、それぞれバス３０４に接続されている。
【０１０２】
また、画像信号処理装置３００は、ハードディスクドライブ（ＨＤＤ）３０５と、リムーバブルディスク３０６を取り扱うドライブ３０７とを有している。これらＨＤＤ３０５およびドライブ３０７は、それぞれバス３０４に接続されている。
【０１０３】
また、画像信号処理装置３００は、インターネット等の通信網３０８に有線または無線で接続する通信部３０９を有している。この通信部３０９は、インタフェース３１０を介してバス３０４に接続されている。
【０１０４】
また、画像信号処理装置３００は、ユーザインタフェース部を備えている。このユーザインタフェース部は、リモコン送信機３１１からのリモコン信号ＲＭを受信する受信部３１２と、ＬＣＤ（liquid crystal display）等からなるディスプレイ３１４とを有している。受信部３１２はインタフェース３１３を介してバス３０４に接続され、同様にディスプレイ３１４はインタフェース３１５を介してバス３０４に接続されている。
【０１０５】
また、画像信号処理装置３００は、インタレース信号としての画像信号Ｖ０を入力するための入力端子３１６と、プログレッシブ信号としての画像信号Ｖｐを出力するための出力端子３１８とを有している。入力端子３１６はインタフェース３１７を介してバス３０４に接続され、同様に出力端子３１８はインタフェース３１９を介してバス３０４に接続されている。
【０１０６】
ここで、上述したようにＲＯＭ３０２に動作プログラム等を予め格納しておく代わりに、例えばインターネットなどの通信網３０８より通信部３０９を介してダウンロードし、ＨＤＤ３０５、ＲＡＭ３０３等に蓄積して使用することもできる。また、この動作プログラム等をリムーバブルディスク３０６で提供するようにしてもよい。
【０１０７】
また、処理すべき画像信号Ｖ０を入力端子３１６より入力する代わりに、予めＨＤＤ３０５に記録しておき、あるいはインターネットなどの通信網４００より通信部３０８を介してダウンロードし、さらにはリムーバブルディスク３０６で供給するようにしてもよい。また、処理後の画像信号Ｖｐを出力端子３１８に出力する代わり、あるいはそれと並行してディスプレイ３１４に供給して画像表示をしたり、さらにはＨＤＤ３０５に格納したり、通信部３０９を介してインターネットなどの通信網３０８に送出したり、またリムーバブルディスク３０６に記録するようにしてもよい。
【０１０８】
図７のフローチャートを参照して、画像信号処理装置３００における、ＩＰ変換の処理手順を説明する。
まず、ステップＳＴ１で、処理を開始し、ステップＳＴ２で、インタレース信号としての画像信号Ｖ０を１フレーム分あるいは１フィールド分入力する。この画像信号Ｖ０が入力端子３１６より入力される場合には、この画像信号Ｖ０をＲＡＭ３０３に一時的に格納する。また、この画像信号Ｖ０がＨＤＤ３０５に記録されている場合には、このＨＤＤ３０５からこの画像信号Ｖ０を読み出し、ＲＡＭ３０３に一時的に格納する。さらに、この画像信号Ｖ０がリムーバブルディスク３０６で供給される場合には、ドライブ３０７でそのリムーバブルディスク３０６からこの画像信号Ｖ０を読み出し、ＲＡＭ３０３に一時的に格納する。
【０１０９】
次に、ステップＳＴ３で、画像信号Ｖ０の全フレームまたは全フィールドの処理が終わっているか否かを判定する。処理が終わっているときは、ステップＳＴ４で、処理を終了する。一方、処理が終わっていないときは、ステップＳＴ５に進む。
【０１１０】
このステップＳＴ５では、現フィールドの画像信号Ｖ０と２フィールド前の画像信号Ｖ２とを用いて、１フィールド前のフィールドに存在する補間画素位置Ｐが動き領域か静止領域かを判定し、判定結果ＪＧＭを得る。
【０１１１】
次に、ステップＳＴ６で、現フィールドの画像信号Ｖ０および過去の所定フィールドの画像信号に基づいて、補間画素位置Ｐが、画像の上境界に位置する画素位置であるか否かの判定結果ＪＧＵ、および画像の下境界に位置する画素位置であるか否かの判定結果ＪＧＤを得る。
【０１１２】
このステップＳＴ６の上下境界の判定処理では、図８のフローチャートで示す処理手順で、判定結果ＪＧＵ，ＪＧＤを得る。すなわち、ステップＳＴ１１で処理を開始し、ステップＳＴ１２で、補間画素位置Ｐが動き領域か静止領域かを示す判定結果ＲＳｐを得る。この場合、連続したｍ個の時間位置ｔ１〜ｔｍにおける判定結果ＲＳ１〜ＲＳｍを求め、この判定結果ＲＳ１〜ＲＳｍに基づいて判定結果ＲＳｐを取得することで、その精度を高める。判定結果ＲＳｐは、判定結果ＲＳ１〜ＲＳｍの全てが静止領域であるとの判定であるときは静止領域を示すものとされ、それ以外のときは動き領域を示すものとされる。
【０１１３】
次に、ステップＳＴ１３で、ステップＳＴ１２における処理と同様にして、補間画素位置Ｐの、上下方向とは直交するライン方向の周辺に存在する所定数ｎの画素位置が動き領域か静止領域かを示す判定結果ＲＳp1〜ＲＳpnを得る。
【０１１４】
次に、ステップＳＴ１４で、補間画素位置Ｐに対して所定方向（上方向、下方向）に隣接する隣接画素位置Ｐｕ，Ｐｄが動き領域か静止領域かを示す判定結果ＲＳup，ＲＳdpを得る。この場合、連続したｍ個の時間位置ｔ１〜ｔｍにおける判定結果ＲＳu1〜ＲＳum，ＲＳd1〜ＲＳdmに基づいて判定結果を取得することで、その精度を高める。判定結果ＲＳup，ＲＳdpは、それぞれ、判定結果ＲＳu1〜ＲＳum，ＲＳd1〜ＲＳdmの全てが静止領域であるとの判定であるときは静止領域を示すものとされ、それ以外のときは動き領域を示すものとされる。
【０１１５】
次に、ステップＳＴ１５で、ステップＳＴ１４における処理と同様にして、隣接画素位置Ｐｕ，Ｐｄの、上下方向とは直交するライン方向の周辺に存在する所定数ｎU，ｎDの画素位置が動き領域か静止領域かを示す判定結果ＲＳup1〜ＲＳupnU，ＲＳdp1〜ＲＳdpnDを得る。
【０１１６】
次に、ステップＳＴ１６で、ステップＳＴ１２で得られた補間画素位置Ｐの判定結果ＲＳｐ、ステップＳＴ１３で得られた補間画素値Ｐの周辺に存在する所定数ｎの画素位置の判定結果ＲＳp1〜ＲＳpn、ステップＳＴ１４で得られた隣接画素位置Ｐｕの判定結果ＲＳupおよびステップＳＴ１５で得られた隣接画素位置Ｐｕの周辺に存在する所定数ｎUの画素位置の判定結果ＲＳup1〜ＲＳupnUに基づいて、補間画素位置Ｐが画像上境界に位置する画素位置であるか否かの判定結果ＪＧＵを得る。この場合、判定結果ＲＳｐ，ＲＳp1〜ＲＳpnの少なくともいずれかが動き領域であることを示し、判定結果ＲＳup，ＲＳup1〜ＲＳupnUの全てが静止領域であることを示すときは補間画素位置Ｐが画像上境界に位置する画素位置であると判定し、それ以外のときは補間画素位置Ｐが画像上境界に位置する画素位置でないと判定する。
【０１１７】
また、このステップＳＴ１６で、ステップＳＴ１２で得られた補間画素位置Ｐの判定結果ＲＳｐ、ステップＳＴ１３で得られた補間画素値Ｐの周辺に存在する所定数ｎの画素位置の判定結果ＲＳp1〜ＲＳpn、ステップＳＴ１４で得られた隣接画素位置Ｐｄの判定結果ＲＳdpおよびステップＳＴ１５で得られた隣接画素位置Ｐｄの周辺に存在する所定数ｎDの画素位置の判定結果ＲＳdp1〜ＲＳdpnDに基づいて、補間画素位置Ｐが画像下境界に位置する画素位置であるか否かの判定結果ＪＧＵを得る。この場合、判定結果ＲＳｐ，ＲＳp1〜ＲＳpnの少なくともいずれかが動き領域であることを示し、判定結果ＲＳdp，ＲＳdp1〜ＲＳdpnDの全てが静止領域であることを示すときは補間画素位置Ｐが画像下境界に位置する画素位置であると判定し、それ以外のときは補間画素位置Ｐが画像下境界に位置する画素位置でないと判定する。
【０１１８】
このステップＳＴ１６の処理の後に、ステップＳＴ１７で、上下境界の判定処理を終了する。なお、ステップＳＴ１２〜ステップＳＴ１５の処理の順は、図８のフローチャートに示す順でなくともよい。
【０１１９】
図７に戻って、ステップＳＴ６の処理の後に、ステップＳＴ７に進む。なお、ステップＳＴ５，ＳＴ６の処理順は、図８に示す順の逆であってもよい。ステップＳＴ７では、ステップＳＴ５で得られた判定結果ＪＧＭおよびステップＳＴ６で得られた判定結果ＪＧＵ，ＪＧＤに基づいて、補間画素位置Ｐの画素データＤipを生成する。
【０１２０】
この場合、判定結果ＪＧＵが、補間画素位置Ｐが画像上境界に位置する画素位置でないことを示し、かつ判定結果ＪＧＤが、補間画素位置Ｐが画像下境界に位置する画素位置でないことを示すときは、判定結果ＪＧＭに基づいて、補間画素位置Ｐの画素データＤipを生成する。すなわち、判定結果ＪＧＭが動き領域を示すときは、補間画素位置Ｐに対して少なくとも上ラインまたは下ラインの画素データを用いて画素データＤipを生成し、判定結果ＪＧＭが静止領域を示すときは、補間画素位置Ｐに対して少なくとも前のフィールドまたは後のフィールドの画素データを用いて画素データＤipを生成する。
【０１２１】
また、判定結果ＪＧＵが、補間画素位置Ｐが画像上境界に位置する画素位置であることを示すときは、補間画素位置Ｐに対応するライン位置から下方向に位置する所定ラインの画素データを用いて、補間画素位置Ｐの画素データＤipを生成し、判定結果ＪＧＤが、補間画素位置Ｐが画像下境界に位置する画素位置であることを示すときは、補間画素位置Ｐに対応するライン位置から上方向に位置する所定ラインの画素データを用いて、補間画素位置Ｐの画素データＤipを生成する。
【０１２２】
次に、ステップＳＴ８で、１フィールド前の画像信号Ｖ１について、全ての補間ラインにおける補間データＤipを生成する処理が終了したか否かを判定する。処理が終了していないときは、ステップＳＴ５に戻り、次の補間画素位置の処理に移る。ステップＳＴ８で処理が終了したときは、ステップＳＴ９に進む。このステップＳＴ９では、ステップＳＴ２で入力された画像信号Ｖ０に対応した、プログレッシブ信号としての画像信号Ｖｐを出力する。この場合、画像信号Ｖ１の各ラインの信号と、それに対応した各補間ラインの信号とを、ＲＡＭ３０３から交互に読み出すことで、ライン数が倍とされた、プログレッシブ信号である画像信号Ｖｐを得る。
【０１２３】
この場合の出力には、画像信号Ｖｐを出力端子３１８に出力すること、画像信号ＶｐをＨＤＤ３０５に記録すること、画像信号Ｖｐをドライブ３０７でリムーバブルディスク３０６に記録すること、画像信号Ｖｐをディスプレイ３１４に供給してそれによる画像を表示すること、画像信号Ｖｐを通信部３０９を介してネットワーク３０８に送出すること等が含まれる。
【０１２４】
このステップＳＴ９の処理の後に、ステップＳＴ２に戻り、インタレース信号としての画像信号Ｖ０の次の１フレーム分あるいは１フィールド分を入力する処理を行って、上述したと同様の処理を繰り返す。
【０１２５】
このように、図７に示すフローチャートに沿って処理をすることで、インタレース信号としての画像信号Ｖ０を処理して、プログレッシブ信号としての画像信号Ｖｐを得ることができる。
【０１２６】
なお、上述実施の形態においては、インタレース信号の補間画素位置Ｐが画像の上境界または下境界にあるか否かを判定し、その判定結果ＪＧＵ，ＪＧＤに基づいて、補間画素位置Ｐの画素データＤipを生成するものを示したが、この発明に係る画像境界の判定装置および判定方法によれば画像の上境界および下境界を良好に検出できるので、例えば有効画像範囲やレターボックス信号であるか否かの自動検出にも応用可能である。レターボックス信号の検出の場合には、画面の所定位置に上境界、下境界があることが検出されれば、レターボックス信号であると判定できる。
【０１２７】
また、上述実施の形態においては、インタレース信号の補間画素位置Ｐが画像の上境界または下境界にあるか否かを判定するものを示したが、この発明に係る画像境界の判定装置および判定方法は、プログレッシブ信号をも含めて、任意の画素位置が、画像の所定方向、つまり上方向、下方向、右方向、左方向等の境界に位置する画素位置であるか否かを良好に判定できる。
【０１２８】
また、上述実施の形態において、メモリ１０３はＩＰ変換部１０２の外部に設けたものであるが、このメモリ１０３をＩＰ変換部１０２の内部に設けるようにしてもよい。
【産業上の利用可能性】
【０１２９】
この発明は、注目画素位置が動き領域か静止領域かを判定し、またこの注目画素位置に対して所定方向に隣接する隣接画素位置が動き領域か静止領域かを判定し、注目画素位置が動き領域であり、かつ隣接画素位置が静止領域であるとき、この注目画素位置が画像の所定方向の境界に位置する画素位置であると判定することで、注目画素位置が画像の所定方向の境界に位置する画素位置であるか否かを良好に判定でき、例えばインタレース信号をプログレッシブ信号に変換する際に、補間画素位置が画像の上境界または下境界に位置する画素位置であるかを判定し、その判定結果に基づいて補間画素位置の画素データを生成し、レターボックス信号における主画部の上境界、下境界におけるフリッカーの発生を防止する用途等に適用できる。
【図面の簡単な説明】
【０１３０】
【図１】実施の形態としての画像表示装置の構成を示すブロック図である。
【図２】ＩＰ変換部の構成を示すブロック図である。
【図３】補間画素位置が動き領域か静止領域かを判定する処理を説明するための図である。
【図４】上下境界の判定処理を説明するための図である。
【図５】補間画素データの生成処理を説明するための図である。
【図６】ソフトウェアで実現するための画像信号処理装置の構成を示すブロック図である。
【図７】ＩＰ変換処理の手順を示すフローチャートである。
【図８】上下境界の判定処理の手順を示すフローチャートである。
【図９】インタレース信号を説明するための図である。
【図１０】一般的なＩＰ変換の処理を説明するための図である。
【図１１】レターボックス信号による画像がディスプレイの画面上に表示された状態を示す図である。
【図１２】レターボックス信号の画像上境界付近を拡大して示した図である。
【符号の説明】
【０１３１】
１００・・・画像表示装置、１０１・・・入力端子、１０２・・・ＩＰ変換部、１０３，１０５・・・パネルドライバ、１０６・・・ＰＤＰ、１１１・・・書き込み処理部、１１２・・・読み出し処理部、１１３・・・上下境界判定部、１１４・・・動き・静止判定部、１１５・・・動き適応補間演算回路、１１６・・・出力ライン選択回路
【図１】
2005151135.tif 000003
【図２】
2005151135.tif 000004
【図３】
2005151135.tif 000005
【図４】
2005151135.tif 000006
【図５】
2005151135.tif 000007
【図６】
2005151135.tif 000008
【図７】
2005151135.tif 000009
【図８】
2005151135.tif 000010
【図９】
2005151135.tif 000011
【図１０】
2005151135.tif 000012
【図１１】
2005151135.tif 000013
【図１２】
2005151135.tif 000014